(57)【要約】      （修正有）【課題】使用時間が異なる什器の使用空間の変更が出来る複合什器と、複合什器を備えるキャンピングカーを提供する。【解決手段】キャンピングカーにおける車内小域生活空間において、トイレ兼用シャワー室とソファー兼用ベッドの構成空間を共用し複合化させ、トイレ空間のベッド側になる側壁を開閉できる構造にして、トイレとして使用する場合は、側壁であり、ベッドとして使用する場合は、トイレ側内部に横倒してトイレ兼用シャワー室の横に設けたベッドの延長上でベッド床材になる構造を形成する。【選択図】図１
0003163950.tif 000002
【実用新案登録請求の範囲】
【請求項１】
キャンピングカー等の限定された小域生活空間において、その主要生活備品である什器のソファー、テーブル、トイレ＆シャワー、ソファー＆ベッド、キッチン流し台等のレイアウト変更をして、トイレ＆シャワーとソファー＆ベッドの構成空間を共用させ、つまり、トイレ空間のベッド側になる側壁を開閉できる構造にして、トイレとして使用する場合は、側壁であり、ベッドとして使用する場合は、トイレ側内部に横倒してベッドの延長上ベッド床材になる構造で、就寝までは、トイレとして使用して、また、ベッドも長さが短くなる分、子供用ベッドとするか、ソファーにして活用し、就寝時は、トイレ側壁を横倒してベッドの床として使用することで、この限定された小域生活空間は、本来トイレがあった空間部分が要らなくなった為、広く使えるようになり、テーブル付のソファー、ベッド、トイレ＆シャワーのそれぞれが大きくスペースを確保でき、基本的にトイレ＆シャワーとベッドの使用時間帯は異なるので、その点で大きく空間を使い分けて、簡単に使用空間の変更が出来、また、これまでよりそれぞれの生活用品のゆとりある空間確保による人に優しい居住空間を生み出すことが出来るトイレ＆シャワーとソファー＆ベッドの空間共用による什器とそれにより構成される小域生活空間を配置した什器、または、それにより構成されるキャンピングカー。
【請求項２】
請求項１のトイレ＆シャワーとソファー＆ベッドの空間共用による什器とそれにより構成される小域生活空間を配置した什器、または、それにより構成されるキャンピングカーにて、ソファー＆ベッドの位置を高くして、その下部にキッチン流し台等を配置して、請求項１に加えて、ベッドを使用しないときに、可動出来る構造にしたベッドの床を反転させて、キッチン流し台を使用することができるトイレ＆シャワーとベッドとキッチン流し台の各使用空間共用出来るようにした、複合什器で、本来キッチン流し台があった空間部分が要らなくなった為、さらに広く使えるようになり、テーブル付のソファーをさらに大きくスペースを確保でき、あるいは、元キッチン流し台の空いた空間にソファー＆ベッドを新たに備え付けることが出来るようにした、複合什器により構成される小域生活空間を配置した什器、または、それにより構成されるキャンピングカー。
【考案の詳細な説明】
【技術分野】
【０００１】  本考案は、キャンピングカーに係わり、生活空間の使用時間帯を考慮に入れて、個々の備品を組み合わせ、空間を共用させた小域生活空間を有効利用させる複合什器（この出願文書上において、小域生活空間である車輌内生活備品のレイアウトを考えるという意味から什器と呼びます。）に関するものである。
【背景技術】
【０００２】  従来、キャンピングカーの什器の配置において、様々なレイアウトがあり、什器そのものも良く工夫されていて、使い勝手の良いものに仕上がっている。しかしながら車輛と言う限られた小域生活空間に旅で生活する必需品の什器を配置した場合、それぞれの空間領域を少しずつ削り、配置する為におのずと什器のどれかに無理な配置をしなければならない。これは、例えば日本においては車輛の一般的駐車領域は、全長約５Ｍ前後、横幅約２Ｍ前後での車輛を駐車できるようにした設定があるためで、その対象車輛は、国内において基本的に容易に駐車場を確保できる為に、同サイズの車輛を特に横幅には約２Ｍ前後までの車輛をキャンピングカーのベース車輛に使用することが多い。
キャンピングカーのサイズが、それでなければならないというものではなく、大きいものほど快適な車輛による旅の生活が出来るのであるが、実際は、日本国内の道路事情を考えると、先ほどのサイズを超えると、まず駐車場の確保が難しい、道路を運行する上で、高速道路や二車線道路を走行するときは問題がなくても、旅という観点に立ち様々な訪問先を想定すると地方の景観地では１車線道路などにより、困難な走行を余儀なくされる。また、車輛自体の価格も高価になり、一般的には取得しがたい。こうした状況を鑑みて、先程の一般的なサイズに基づくキャンピングカーの製作がなされる所以である。【０００３】  いかにして全長約５Ｍ前後横幅約２Ｍ前後の小域生活空間にキャンピングカーとしての生活必需品としての什器を配置するかが、より使い勝手の良いキャンピングカーに仕上がるかという問題になる。これまでの製造された車輛を考えると、この決められたサイズ内にそれぞれのメーカーの特徴を出しながら製作されているのであるが、やはり無理がある。その一番大きな難点は、テーブル付きリビングダイニングにした、対面ソファーで、対座の車輛後方側は、すべての車輛と言ってよいぐらいリクライニングが出来ない状態にある。また、対座間隔もせまく、きっちり座る分には良いけれども、足を延ばした楽な姿勢は取りにくい。トイレも狭く圧迫感があり、寝台も狭い。総じて、空間にゆとりがなく、普段、日常で使う生活空間と同じサイズを取ることが出来ない為に、狭い車輛での生活を強いられるものである。
【先行技術文献】
【特許文献】
【０００４】  特許  ２００５−０１４９５７（未審査請求によるみなし取下）
上記案件は、取下げになっておりますが、内容的に空間の有効利用という点で本考案と類似するのであるが、上記は、単なる空間としての利用を検討しているもので、内容的には、在ってもあまり意味がなく、わざわざ物入れを作らなくてもベッドの上に物をおけばよいのであって、それ自体必要性がなく、不便であり、結果、製造販売にいたることがなく、一般的な使用者からの需要もない。空間の有効利用という点で可能性はあったものの、本考案の様な有効利用には言及されていない。
また、側壁面の板を開閉した作りは、昔からある構造で、ベッド自体を側壁に収納する等よく知られた作り方でもある。上記出願は、大きさを限定しないキャンピングカー、トレーラー、トラックを対象に単なる空間有効利用方に限定されている。
本考案は、限定さえた小域生活空間への複合什器という考えに立ち什器を合体させ、そのことにより、一つの什器がなくなった分、他の什器が広く取れるという大きな結果を導き出すことができる内容のもので、上記出願内容にとどまらず、更に発展した車輌空間全体を有効利用できる実用新案です。
【非特許文献】
【０００５】
【考案の概要】
キャンピングカーに係わり、生活空間の使用時間帯を考慮に入れて、個々の生活備品を組み合わせ、空間を共用させた小域生活空間を有効利用させる什器の複合化。
【考案が解決しようとする課題】
【０００６】  本考案は、上記の状況を顧みてなされたもので、例えば日本国内の道路事情を考えて、駐車場の確保がしやすく、また、道路を運行する上で１車線道路等の細い道路でも安全に容易に運転出来る車輌の大きさを考慮して、全長約５Ｍ前後、横幅約２Ｍ前後でのサイズでキャンピングカーを製作することが一般的で、この使用者からの立場で見て、一番需要の多いこのサイズでの車輌内空間の有効な什器配置をするのであるが、現状は、車輌内生活の必需品であるベッド、トイレ、テーブル付対座形式のソファー、キッチン流し台を配置するとどうしてもそれぞれがとるスペースを小さくしなければならない。スペースを考える上で検討が必要とされるトイレをあえて出来るだけ小さくして、又は、なくして広い空間を確保することもあるが、この場合、トイレを小さくする理由は他の空間を広げるためであっても、使用者に窮屈さを強いており、或いはトイレをなくした場合生活必需品と言う考えにそぐわず、何時でも何処でも車輌内生活が出来るものではなくなる。
こうした状況を見ると、上記の車輌サイズでは、什器それぞれが実際の日常に使うサイズに比べ小さく狭くなっている。一つの什器サイズ、スペースを大きくとると他を小さくしなければならないと言う状況に陥っており、何処を重要視するかは使用者の選択になっており、選択のどこかで妥協をしなければならないという問題を有していた。【０００７】  本考案は、日本国内の道路事情を考慮した、全長約５Ｍ前後、横幅約２Ｍ前後でのサイズの一般的なキャンピングカーで、この使用者からの立場で見て、一番需要の多いこのサイズでの車輌内空間に什器配置をするのであるが、従来にない本考案の複合什器による空間の取り方を基に車輌内生活の必需品であるベッド、トイレ、テーブル付対座、キッチン流し台等、使用時間を考慮して効率よく配置し、人に優しい居住空間を作り提供することを目的としている。
【課題を解決するための手段】
【０００８】  上記目的を達成するために本考案におけるキャンピングカーは、限定された小域生活空間において、その主要生活備品である什器のソファー、テーブル、トイレ＆シャワー、ソファー＆ベッド、キッチン流し台等のレイアウト変更をして、トイレ＆シャワーとソファー＆ベッドの構成空間を共用させ、つまり、トイレ空間のベッド側になる側壁を開閉できる構造にして、トイレとして使用する場合は、側壁であり、ベッドとして使用する場合は、トイレ側内部に横倒してベッドの延長上ベッド床材になる構造で、就寝までは、トイレとして使用して、また、ベッドも長さが短くなる分、子供用ベッドとするか、ソファーにして活用し、就寝時は、トイレ側壁を横倒してベッドの床として使用することで、この限定された小域生活空間は、本来トイレがあった空間部分が要らなくなった為、広く使えるようになり、テーブル付のソファー、ベッド、トイレ＆シャワーのそれぞれが大きくスペースを確保でき、基本的にトイレ＆シャワーとベッドの使用時間帯は、就寝時と非就寝時で異なる為、その点で空間を共用し大きく空間を使い分けて、簡単に使用空間の変更が出来るようにしたもので、こうすることで、これまでよりそれぞれの生活備品のゆとりある空間確保による人に優しい居住空間を形成したキャンピングカー。このように課題を解決するための手段として什器の複合化をし、トイレとベッドの空間を共用させたことは、ベッドの足側と言え生理的感覚で甘受しがたい面もあるが、キャンピングカーのトイレは、実際に使う頻度が少ないこともあり、無駄な空間を活用し、そこから得る利便性の方が高い。
注意点１  トイレ側壁を横倒してベッドの床として使用するのであるが、この仕切り板の作りに回転蝶番を使うのが一般的であるが、それを使わなくても良く、方法にはこだわる必要がなく、大きく考えて、側壁仕切り板が取れて、床材になると同時に、便器の上の大きなカバーになり密閉できることが要点です。簡単に取り付ける方法をレイアウトの仕様毎に適宜選択すると良い。
注意点２  又、シャワー使用時の防水性を考えて、仕切り板に防水性の機能を追加するか、防水カーテンを使用する必要がある。【０００９】  上記［０００８］のトイレ＆シャワーとソファー＆ベッドの空間共用による什器とそれにより構成される小域生活空間を配置した什器、または、それにより構成されるキャンピングカーにて、ベッドの位置を高くして、その下部にキッチン流し台等を配置して、ベッドを使用しないときに、可動出来る構造にしたベッドの床を反転させて奥側に収納し、キッチン流し台を使用することができるトイレ＆シャワーとベッドとキッチン流し台の各使用空間共用出来るようにした、複合什器で、本来キッチン流し台があった空間部分が要らなくなった為、さらに広く使えるようになり、テーブル付対座ソファーをさらに大きくスペースを確保でき、あるいは、元キッチン流し台の空いた空間にソファー＆ベッドを新たに備え付けることが出来るようにした、対座形式の空間をより広く取ることが出来るようにした、多人数でも従来車に比べゆとりある状況を形成しているキャンピングカー。
【考案の効果】
【００１０】  本考案の什器を設置したキャンピングカーは、請求項１に基づき従来のキャンピングカーの構造と根本的に違うのは、従来車は、対面ソファーにした場合に、後部座席側がリクライニング出来ない状態であったのが解消され、それぞれの什器の空間が２から３割増加している。また、図面のレイアウトであれば、後部座席側での対面設定も可能になる。二段ベッドの下段をトイレ使用可能状態に床板で仕切り、上段ベッドの床・側壁共用板を横にベッドとして使用している時は、シャワーは使えませんが、トイレとして天井は少し低いが使用可能な状態でもある。このように形成されたキャンピングカーは、車内空間を有効に利用できる。【００１１】  本考案の什器を設置したキャンピングカーは、請求項２に基づき従来のキャンピングカーの構造と根本的に違うのは、従来車は、対面ソファーにした場合に、後部座席側がリクライニング出来ない状態であったのが解消され、それぞれの什器の空間が２から３割増加しており、キッチン流し台の元あったところのスペースが空く為、対面ソファーを広く取ることも出来るし、ここにソファー＆ベッドを更に置くことも出来て、椅子の対面配置が多くなり、多人数での歓談をしやすく什器を配置出来ると言う、車内空間を有効に利用出来る。
但し、キッチン流し台上は、排熱、排煙などの理由で、従来の位置での２段ベッド化には向かいない。寝ることしか使わない２段ベッドの上段部分の面積は、元キッチン流し台のところでソファー＆ベッドとして、更に有効な使用方法に変更している。
【図面の簡単な説明】
【００１２】
【図１】従来車と本考案請求項１のキャンピングカーの側面図（断面図）  Ａ図  従来車の側面図（断面図）  Ｂ図  本考案請求項１の側面図（断面図）
【図２】従来車と本考案請求項１のキャンピングカーの上面図（断面図）  Ｃ図  従来車の上面図（断面図）  Ｄ図  本考案請求項１の上面図（断面図）
【図３】従来車と本考案請求項１のキャンピングカーの面積比較（要部方眼記載）  Ｅ図  従来車の上面図（断面図）  Ｆ図  本考案請求項１の上面図（断面図）
【図４】本考案請求項１のキャンピングカーの展開使用説明図  Ｇ図  本考案請求項１の上面図（断面図）  Ｈ図  本考案請求項１の側面図（断面図）  Ｉ図  本考案請求項１の上面図（断面図）  Ｊ図  本考案請求項１の側面図（断面図）  Ｋ図  車輌前面より見た本考案請求項１の什器の正面の断面図  Ｌ図  車輌前面より見た本考案請求項１の什器の正面の断面図  Ｍ図  車輌前面より見た本考案請求項１の什器の正面の断面図  Ｎ図  車輌前面より見た本考案請求項１の什器の正面の断面図
【図５】従来車と本考案請求項２のキャンピングカーの側面図（断面図）  Ａ図  従来車の側面図（断面図）  Ｏ図  本考案請求項２の側面図（断面図）
【図６】従来車と本考案請求項２のキャンピングカーの上面図（断面図）  Ｃ図  従来車の上面図（断面図）  Ｐ図  本考案請求項２の上面図（断面図）
【図７】従来車と本考案請求項２のキャンピングカーの面積比較（要部方眼記載）  Ｑ図  従来車の上面図（断面図）  Ｒ図  本考案請求項２の上面図（断面図）
【図８】本考案請求項２のキャンピングカーの展開使用説明図  Ｓ図  本考案請求項２の側面図（断面図）  Ｔ図  本考案請求項２の上面図（断面図）  Ｕ図  本考案請求項２の側面図（断面図）  Ｖ図  本考案請求項１の上面図（断面図）  Ｗ図  車輌前面より見た本考案請求項２什器の正面の断面図  Ｘ図  車輌前面より見た本考案請求項２什器の正面の断面図  Ｙ図  車輌前面より見た本考案請求項２什器の正面の断面図
【考案を実施するための形態】
【００１３】  本考案の什器を設置したキャンピングカーは、請求項の記述のように複合什器で構成するキャンピングカーで、什器の使用時間を考慮した共用空間を利用しており、その為に、それぞれの什器スペースが２から３割増大しており、使い勝手が良い点からも人に優しい生活備品を提供できるという最良の形態を有している。
【実施例】
【００１４】実施例について図面を参照して説明します。また、図面には、従来車と本考案車輌を対比させながら図示しておりますが、これは従来車と本考案車輌を比較することで、本考案複合什器の理解が得やすく、空間共有することで一什器当りの空間が大きくなったことがわかり、その有効性・有用性の認識を得る為。
［図１］は、従来車と本考案請求項１における什器を設置したキャンピングカーの側面図（断面図）で内部の什器配置を示している。
Ａ図側面図で一般的なキャンピングカーの代表的なレイアウトの一つで、どの什器を重要とするか、又は入り口の位置関係等で配置位置は変わる。
日本国内では、道路上左側通行である為、キャビンへの出入り口は、必然的に左側に儲けられ、その為、テーブル付き対座シートは、その反対側になる傾向が多い。決められた小域生活空間に効率よく什器を設置するのであるが、一つ一つの什器が占める面積は、どうしても狭くならざるを得ない。
Ｂ図側面図で本考案請求項１における什器を設置したキャンピングカーの側面図（断面図）で、それぞれの什器の面積が大きく取れているのが、Ａ図と比較することにより理解が得られる。テーブル付き対座シートは、従来車に対して大きくシートがリクライニング出来るのがわかる。ソファー＆ベッドも大きく取れ、トイレにおいて従来車は出来る限り小さく作るが、同じく大きく取れる。
［図２］は、従来車と本考案請求項１における什器を設置したキャンピングカーの上面図（断面図）で内部の什器配置を示している。
ベッド＆トイレの複合什器をどう配置するかは、色々と考えられるが、従来のキャンピングカーと比較するために出来るだけレイアウトの近い状態の比較図面を提示した。
Ｃ図上面図は、従来車の上か見た断面フロアー図面である。
Ｄ図上面図は、本考案請求項１に基づく車輌の断面フロアー図で、トイレ＆シャワーがベッドと複合化合体したために、従来のトイレスペースが空き、テーブル付きソファースペースを多きくとれ、又、ベッドもスペースを大きくとることが出来る。トイレ＆シャワーを使用できる状態にすると、つまり仕切り板を立てて、トイレ＆シャワーを個室にすると、ベッドは小さくなるが、ソファー＆ベッドの為ソファーとして使用できる。又、このとき、二段ベッドの上段は、仕切り板を横にした全面ベッドとして活用しても、シャワーは、使用できないが、トイレは、天井が低くなるだけで使用は可能。
ベッドとしての使用する就寝時間帯とトイレ＆シャワー及びベッドをソファーとして使う非就寝時間帯を大きくわけて、使用することが出来ることを特徴とする複合什器。
［図３］は、本考案の請求項１における什器を設置したキャンピングカーと従来のキャンピングカーの上面図で内部の什器配置を示しており、各什器の面積比較のため要部に方眼を入れてある。
面積比較  方眼のマス目数比較
テーブル付き対座        トイレ        ベッド
Ｅ図  従  来の什器        ９８                    ３６          ８４
Ｆ図  本考案の什器        １２６                  ４９          １１２
従  来  比          １．２８倍              １．３６倍    １．３３倍
［図４］本考案請求項１のキャンピングカーの展開使用説明図
Ｇ図    本考案請求項１の上面図（断面図）
全体のレイアウトを知ることが出来る。
Ｈ図    本考案請求項１の側面図（断面図）
下段ベッド部がソファーで、上段はベッド。テーブル対座シートが両方リクライ        ニングになる。
Ｉ図    本考案請求項１の上面図（断面図）
上段は、前面ベッド展開になっている。
Ｊ図    本考案請求項１の側面図（断面図）
ベッドの上段下段の両方がベッドになっている。
Ｋ図    車輌前面より見た本考案什器の正面の断面図
トイレ＆シャワーが普通に使用でき、ベッドが子供用の小さいサイズのベッドに        なる。
Ｌ図    車輌前面より見た本考案什器の正面の断面図
ベッド上段は、前面ベッド。下段は、ソファーになり、トイレは、中腰での入室        使用。
Ｍ図    車輌前面より見た本考案什器の正面の断面図
ベッド上段は、前面ベッド。下段は、子供用ベッドになり、トイレは、中腰での        入室使用。
Ｎ図    車輌前面より見た本考案什器の正面の断面図
ベッドは上下段ともベッド展開になっている。
このとき、トイレは使用できない。
［図５］は、本考案の請求項２における什器を設置したキャンピングカーの側面図（断面図）で内部の什器配置を示している。
トイレ＆シャワー＆ベッド＆キッチン流し台の複合什器をどう配置するかは、色々と考えられるが、従来のキャンピングカーと比較するために出来るだけレイアウトの近い状態での比較図面を提示した。
Ｇ図側面図は、従来車の側面図（断面図）で、Ｈ図側面図は、本考案請求項２に基づく車輌の側面図（断面図）で、トイレ＆シャワーとベッドとキッチン流し台が複合化したために、従来のトイレ及びキッチン流し台のスペースが空き、テーブル付きソファーのスペースを大きくとれ、又、ベッド及びトイレ＆シャワーもスペースを大きくとることが出来る。トイレ＆シャワーを使用できる状態にすると、つまり仕切り板を立てて、トイレ＆シャワーを個室にすると、ベッドは小さくなるが、このベッド部分を反転させて、キッチン流し台を出すことにより、料理に使用できることは、ベッドとしての使用する就寝時間帯とトイレ＆シャワー及びキッチン流し台として使う非就寝時間帯を大きくわけて、使用することが出来ることを特徴とする複合什器。
［図６］は、従来車と本考案請求項２における什器を設置したキャンピングカーの上面図（断面図）で内部の什器配置を示している。
ベッド＆トイレ＆シャワーの複合什器をどう配置するかは、色々と考えられるが、従来のキャンピングカーと比較するために出来るだけレイアウトの近い状態の比較図面を提示した。
Ｇ図上面図は、従来車の上か見た断面フロアー図面である。
Ｈ図上面図は、本考案請求項２に基づく車輌の断面フロアー図で、トイレ＆シャワー＆ベッドが、複合化合体したために、従来のトイレスペースが空き、テーブル付きソファースペースを大きくとれ、又、ベッドもスペースを大きくとることが出来る。トイレ＆シャワーを使用できる状態にすると、つまり仕切り板を立てて、トイレ＆シャワーを個室にすると、ベッドは小さくなる。
ベッド部分を反転させて、キッチン流し台として使用することができる。
このとき、二段ベッド構造は、換気等のためにむかない。
ベッドとしての使用する就寝時間帯とトイレ＆シャワー及びキッチンとして使う非就寝時間帯を大きくわけて、使用することが出来ることを特徴とする複合什器。
［図７］は、本考案の請求項２における什器を設置したキャンピングカーと従来のキャンピングカーの上面図で内部の什器配置を示しており、各什器の面積比較のため要部に方眼を入れてある。
面積比較  方眼の升目数比較
テーブル付き対座        トイレ        ベッド
Ｅ図  従  来の什器      ９８                    ３６          ８４
Ｆ図  本考案の什器      １２６                  ４９          １１２
従  来  比        １．２８倍              １．３６倍    １．３３倍
空間増分  キッチン流し台が複合化合体して空いたスペース    ３２マス
空間減分  キッチンがある場合は、ベッドの二段目は換気などの為向かない。
キッチン流し台のスペースが空いている為、テーブル＆ソファーを横に長くすることが可能であり、別のソファー＆ベッドを元キッチン流し台があった所に装着できるので、上記の減分を勘案しても空間の有効利用性の方が高い。
［図８］本考案請求項１のキャンピングカーの展開使用説明図
Ｓ図    本考案請求項２の側面図（断面図）
テーブル対座シートの後ろがベッド
Ｔ図    本考案請求項２の上面図（断面図）
上面から見て複合什器の全面がベッドである様子
Ｕ図    本考案請求項２の側面図（断面図）
ベッドを半分起こして反転させ、キッチン流し台が使用可
Ｖ図    本考案請求項１の上面図（断面図
キッチンとトイレが併用で使用できる状態
Ｗ図    車輌前面より見た本考案請求項２什器の正面の断面図
トイレ＆シャワーが使用可能、併用で子供用ベッドになる
Ｘ図    車輌前面より見た本考案請求項２什器の正面の断面図
複合什器の全面がベッドになった状態
Ｙ図    車輌前面より見た本考案請求項２什器の正面の断面図
トイレ＆シャワーとキッチンが使える状態
【産業上の利用可能性】
【００１５】  本考案は、日本国内の道路事情を考慮した、全長約５Ｍ前後、横幅約２Ｍ前後でのサイズの一般的なキャンピングカーで、この使用者からの立場で見て、一番需要の多いこのサイズでの車輌内空間に什器配置をするのであるが、従来にない本考案の複合什器による空間の取り方を基に車輌内生活の必需品であるベッド、トイレ、テーブル付対座シート、キッチン流し台の使用時間を考慮して効率よく配置し、人に優しい居住空間を作り提供することを目的としているのであるが、自動車車輌にとどまらず住宅における小域生活空間においても利用の可能性を見ることが出来る複合什器である。
【各図面の記号の説明】
【００１６】  １・・・ハンドル
２・・・運転席
３・・・対面座席前
４・・・テーブル
５・・・対面座席後
６・・・トイレ
７・・・便器
８・・・二段ベッドの上段
９・・・二段ベッドの下段
１０・・・タイヤ
１１・・・対面座席前（リクライニング状態）
１２・・・対面座席後（リクライニング状態）
１３・・・本考案請求項１の複合什器の上段ベッド
１４・・・本考案請求項１の複合什器の下段ベッド
１５・・・背もたれ（ソファー＆ベッドの場合）
１６・・・本考案請求項１及び２の複合什器のトイレ
１７・・・出入口
１８・・・キッチン流し台
１９・・・置台
２０・・・助手席
２１・・・本考案請求項２の複合什器のベッド
２２・・・２１のベッドにおいて半折反転返しをした状態
【受託番号】
【００１７】
【図１】
0003163950.tif 000003
【図２】
0003163950.tif 000004
【図３】
0003163950.tif 000005
【図４】
0003163950.tif 000006
【図５】
0003163950.tif 000007
【図６】
0003163950.tif 000008
【図７】
0003163950.tif 000009
【図８】
0003163950.tif 000010
【手続補正書】
【提出日】平成22年3月10日(2010.3.10)
【手続補正１】
【補正対象書類名】実用新案登録請求の範囲
【補正対象項目名】全文
【補正方法】変更
【補正の内容】
【実用新案登録請求の範囲】
【請求項１】
キャンピングカーにおける車内小域生活空間において、その主要生活備品である什器のソファー、テーブル、トイレ兼用シャワー室、ソファー兼用ベッド、キッチン流し台等のレイアウト変更をして、トイレ兼用シャワー室とソファー兼用ベッドの構成空間を共用し複合化させた什器で、つまり、トイレ空間のベッド側になる側壁を開閉できる構造にして、トイレとして使用する場合は、側壁であり、ベッドとして使用する場合は、トイレ側内部に横倒してトイレ兼用シャワー室の横に設けたベッドの延長上でベッド床材になる構造で、この可動式部材の置き方で変更出来る二つの什器としての構造を形成した複合什器。
【請求項２】
請求項１に記載された複合什器が設置されたキャンピングカー。
【請求項３】
請求項１に記載された複合什器が設置されたキャンピングカーにおいて、ソファー兼用ベッドの位置を高くして、その下部にキッチン流し台等を設置して、請求項１に加えて、ベッドを使用しない時に、ベッドの床の一部分が可動出来るようにしたベッドで、その一部の床を反転し折り重ねることで下部にあるキッチン流し台を使用することができる構造で、可動式部材の置き方で使用変更できるトイレ兼用シャワー室とベッドとキッチン流し台の三つの什器としての構造を形成した複合什器。
【請求項４】
請求項３に記載された複合什器が設置されたキャンピングカー。
【手続補正書】
【提出日】平成22年8月10日(2010.8.10)
【手続補正１】
【補正対象書類名】実用新案登録請求の範囲
【補正対象項目名】全文
【補正方法】変更
【補正の内容】
【実用新案登録請求の範囲】
【請求項１】
キャンピングカーにおける車内小域生活空間において、その主要生活備品である什器のソファー、テーブル、トイレ兼用シャワー室、ソファー兼用ベッド、キッチン流し台のレイアウト変更をして、トイレ兼用シャワー室とソファー兼用ベッドの構成空間を共用し複合化させた什器で、つまり、トイレ空間のベッド側になる側壁を開閉できる構造にして、トイレとして使用する場合は、側壁であり、ベッドとして使用する場合は、トイレ側内部に横倒してトイレ兼用シャワー室の横に設けたベッドの延長上でベッド床材になる構造で、この可動式部材の置き方で変更出来る二つの什器としての構造を形成した複合什器。
【請求項２】
請求項１に記載された複合什器が設置されたキャンピングカー。
【請求項３】
請求項１に記載の複合什器において、さらにベッド２１の下部にキッチン流し台１８を設置して、ベッドを使用しない時に、トイレ兼用シャワー室１６の空間でベッド床材になっている部分を除いた残りのベッド床部材で、ベッド短辺を２等分するベッド中央部分で、折り返し反転することができるようにした状態（図面記号２２）で、可動出来るようにしたベッドで、ベッドの一部の床２２を反転し折り重ねることで下部にあるキッチン流し台１８が現れて、それを使用することができる構造で、可動式部材の置き方で使用変更できるトイレ兼用シャワー室１６とベッド２１とキッチン流し台１８の三つの什器としての構造を形成した複合什器。
【請求項４】
請求項３に記載された複合什器が設置されたキャンピングカー。
【手続補正２】
【補正対象書類名】明細書
【補正対象項目名】００１２
【補正方法】変更
【補正の内容】
【００１２】
【図１】従来車と本考案請求項２のキャンピングカーの側面図（断面図）  Ａ図  従来車の側面図（断面図）  Ｂ図  本考案請求項２の側面図（断面図）
【図２】従来車と本考案請求項２のキャンピングカーの上面図（断面図）  Ｃ図  従来車の上面図（断面図）  Ｄ図  本考案請求項２の上面図（断面図）
【図３】従来車と本考案請求項２のキャンピングカーの面積比較（要部方眼記載）  Ｅ図  従来車の上面図（断面図）  Ｆ図  本考案請求項２の上面図（断面図）
【図４】本考案請求項２のキャンピングカーの展開使用説明図  Ｇ図  本考案請求項２の上面図（断面図）  Ｈ図  本考案請求項２の側面図（断面図）  Ｉ図  本考案請求項２の上面図（断面図）  Ｊ図  本考案請求項２の側面図（断面図）  Ｋ図  車輌前面より見た本考案請求項１の什器の正面の断面図  Ｌ図  車輌前面より見た本考案請求項１の什器の正面の断面図  Ｍ図  車輌前面より見た本考案請求項１の什器の正面の断面図  Ｎ図  車輌前面より見た本考案請求項１の什器の正面の断面図
【図５】従来車と本考案請求項４のキャンピングカーの側面図（断面図）  Ａ図  従来車の側面図（断面図）  Ｏ図  本考案請求項４の側面図（断面図）
【図６】従来車と本考案請求項４のキャンピングカーの上面図（断面図）  Ｃ図  従来車の上面図（断面図）  Ｐ図  本考案請求項４の上面図（断面図）
【図７】従来車と本考案請求項４のキャンピングカーの面積比較（要部方眼記載）  Ｑ図  従来車の上面図（断面図）  Ｒ図  本考案請求項４の上面図（断面図）
【図８】本考案請求項４のキャンピングカーの展開使用説明図  Ｓ図  本考案請求項４の側面図（断面図）  Ｔ図  本考案請求項４の上面図（断面図）  Ｕ図  本考案請求項４の側面図（断面図）  Ｖ図  本考案請求項４の上面図（断面図）  Ｗ図  車輌前面より見た本考案請求項３什器の正面の断面図  Ｘ図  車輌前面より見た本考案請求項３什器の正面の断面図  Ｙ図  車輌前面より見た本考案請求項３什器の正面の断面図
【手続補正３】
【補正対象書類名】明細書
【補正対象項目名】００１４
【補正方法】変更
【補正の内容】
【００１４】  実施例について図面を参照して説明します。また、図面には、従来車と本考案車輌を対比させながら図示しておりますが、これは従来車と本考案車輌を比較することで、本考案複合什器の理解が得やすく、空間共有することで一什器当りの空間が大きくなったことがわかり、その有効性・有用性の認識を得る為。
［図１］は、従来車と本考案請求項１における什器を設置したキャンピングカーの側面図（断面図）で内部の什器配置を示している。
Ａ図  側面図で一般的なキャンピングカーの代表的なレイアウトの一つで、どの什器を重要とするか、又は入り口の位置関係等で配置位置は変わる。日本国内では、道路上左側通行である為、キャビンへの出入り口は、必然的に左側に儲けられ、その為、テーブル付き対座シートは、その反対側になる傾向が多い。決められた小域生活空間に効率よく什器を設置するのであるが、一つ一つの什器が占める面積は、どうしても狭くならざるを得ない。
Ｂ図  側面図で本考案請求項１における什器を設置したキャンピングカーの側面図（断面図）で、それぞれの什器の面積が大きく取れているのが、Ａ図と比較することにより理解が得られる。テーブル付き対座シートは、従来車に対して大きくシートがリクライニング出来るのがわかる。ソファー＆ベッドも大きく取れ、トイレにおいて従来車は出来る限り小さく作るが、同じく大きく取れる。
［図２］は、従来車と本考案請求項１における什器を設置したキャンピングカーの上面図（断面図）で内部の什器配置を示している。
ベッド＆トイレの複合什器をどう配置するかは、色々と考えられるが、従来のキャンピングカーと比較するために出来るだけレイアウトの近い状態の比較図面を提示した。
Ｃ図  上面図は、従来車の上か見た断面フロアー図面である。
Ｄ図  上面図は、本考案請求項２に基づく車輌の断面フロアー図で、トイレ＆シャワーがベッドと複合化合体したために、従来のトイレスペースが空き、テーブル付きソファースペースを多きくとれ、又、ベッドもスペースを大きくとることが出来る。トイレ＆シャワーを使用できる状態にすると、つまり仕切り板を立てて、トイレ＆シャワーを個室にすると、ベッドは小さくなるが、ソファー＆ベッドの為ソファーとして使用できる。又、このとき、二段ベッドの上段は、仕切り板を横にした全面ベッドとして活用しても、シャワーは、使用できないが、トイレは、天井が低くなるだけで使用は可能。
ベッドとしての使用する就寝時間帯とトイレ＆シャワー及びベッドをソファーとして使う非就寝時間帯を大きくわけて、使用することが出来ることを特徴とする複合什器。
［図３］は、従来車と本考案の請求項１における什器を設置したキャンピングカーの上面図で内部の什器配置を示しており、各什器の面積比較のため要部に方眼を入れてある。
0003163950.tif 000011
［図４］本考案請求項２のキャンピングカーの展開使用説明図
Ｇ図  本考案請求項２の上面図（断面図）
全体のレイアウトを知ることが出来る。
Ｈ図  本考案請求項２の側面図（断面図）
下段ベッド部がソファーで、上段はベッド。
テーブル対座シートが両方リクライニングになる。
Ｉ図  本考案請求項２の上面図（断面図）
上段は、全面ベッド展開になっている。
Ｊ図  本考案請求項２の側面図（断面図）
ベッドの上段下段の両方がベッドになっている。
Ｋ図  車輌前面より見た本考案請求項１の正面の断面図
トイレ兼用シャワーが普通に使用でき、ベッドが供用の小さいサイズのベッドになる。
Ｌ図  車輌前面より見た本考案請求項１の正面の断面図
ベッド上段は、全面ベッド。下段は、ソファーになり、トイレは、中腰での入室使用。
Ｍ図  車輌前面より見た本考案請求項１の正面の断面図
ベッド上段は、全面ベッド。下段は、子供用ベッドになり、トイレは、中腰での入室使用。
Ｎ図  車輌前面より見た本考案請求項１の正面の断面図
ベッドは上下段ともベッド展開になっている。
このとき、トイレは使用できない。
［図５］は、本考案の請求項３における什器を設置したキャンピングカーの側面図（断面図）で内部の什器配置を示している。
トイレ兼用シャワー兼用ベッド兼用キッチン流し台の複合什器をどう配置するかは、色々と考えられるが、従来のキャンピングカーと比較するために出来るだけレイアウトの近い状態での比較図面を提示した。
Ｇ図側面図は、従来車の側面図（断面図）で、Ｈ図側面図は、本考案請求項４に基づく車輌の側面図（断面図）で、トイレ兼用シャワーとベッドとキッチン流し台が複合化したために、従来のトイレ及びキッチン流し台のスペースが空き、テーブル付きソファーのスペースを大きくとれ、又、ベッド及びトイレ＆シャワーもスペースを大きくとることが出来る。トイレ兼用シャワーを使用できる状態にすると、つまり仕切り板を立てて、トイレ兼用シャワーを個室にすると、ベッドは小さくなるが、このベッド部分を反転させて、キッチン流し台を出すことにより、料理に使用できることは、ベッドとしての使用する就寝時間帯とトイレ兼用シャワー及びキッチン流し台として使う非就寝時間帯を大きくわけて、使用することが出来ることを特徴とする複合什器。
［図６］は、従来車と本考案請求項３における什器を設置したキャンピングカーの上面図（断面図）で内部の什器配置を示している。
ベッド＆トイレ＆シャワーの複合什器をどう配置するかは、色々と考えられるが、従来のキャンピングカーと比較するために出来るだけレイアウトの近い状態の比較図面を提示した。
Ｇ図上面図は、従来車の上か見た断面フロアー図面である。
Ｈ図上面図は、本考案請求項４に基づく車輌の断面フロアー図で、トイレ兼用シャワー兼用ベッドが、複合化合体したために、従来のトイレスペースが空き、テーブル付きソファースペースを大きくとれ、又、ベッドもスペースを大きくとることが出来る。トイレ兼用シャワーを使用できる状態にすると、つまり仕切り板を立てて、トイレ兼用シャワーを個室にすると、ベッドは小さくなる。
ベッド部分を反転させて、キッチン流し台として使用することができる。
このとき、二段ベッド構造は、換気等のためにむかない。
ベッドとしての使用する就寝時間帯とトイレ＆シャワー及びキッチンとして使う非就寝時間帯を大きくわけて、使用することが出来ることを特徴とする複合什器。
［図７］は、従来車と本考案の請求項３における什器を設置したキャンピングカーとの上面図で内部の什器配置を示しており、各什器の面積比較のため要部に方眼を入れてある。
0003163950.tif 000012
空間増分  キッチン流し台が複合化合体して空いたスペース３２マス
空間減分  キッチンがある場合は、ベッドの二段目は換気などの為向かない。
キッチン流し台のスペースが空いている為、テーブル＆ソファーを横に長くすることが可能であり、別のソファー＆ベッドを元キッチン流し台があった所に装着できるので、上記の減分を勘案しても空間の有効利用性の方が高い。
［図８］本考案請求項４のキャンピングカーの展開使用説明図
Ｓ図    本考案請求項４の側面図（断面図）
テーブル対座シートの後ろがベッド
Ｔ図    本考案請求項４の上面図（断面図）
上面から見て複合什器の全面がベッドである様子
Ｕ図    本考案請求項４の側面図（断面図）
ベッドを半分起こして反転させ、キッチン流し台が使用可
Ｖ図    本考案請求項４の上面図（断面図
キッチンとトイレが併用で使用できる状態
Ｗ図    車輌前面より見た本考案請求項３什器の正面の断面図
トイレ兼用シャワーが使用可能、併用で子供用ベッドになる
Ｘ図    車輌前面より見た本考案請求項３什器の正面の断面図
複合什器の全面がベッドになった状態
Ｙ図    車輌前面より見た本考案請求項３什器の正面の断面図
トイレ兼用シャワーとキッチンが使える状態
【手続補正４】
【補正対象書類名】明細書
【補正対象項目名】００１６
【補正方法】変更
【補正の内容】
【００１６】  １・・・ハンドル
２・・・運転席
３・・・対面座席前
４・・・テーブル
５・・・対面座席後
６・・・トイレ兼用シャワー室
７・・・便器
８・・・二段ベッドの上段
９・・・二段ベッドの下段
１０・・・タイヤ
１１・・・対面座席前（リクライニング状態）
１２・・・対面座席後（リクライニング状態）
１３・・・本考案請求項１の複合什器の上段ベッド
１４・・・本考案請求項１の複合什器の下段ベッド
１５・・・背もたれ（ソファー兼用ベッドの場合）
１６・・・本考案請求項１及び３の複合什器のトイレ兼用シャワー室
１７・・・出入口
１８・・・キッチン流し台
１９・・・置台
２０・・・助手席
２１・・・本考案請求項３の複合什器のベッド
２２・・・２１のベッドにおいて、トイレ兼用シャワー室でベッド床材になっている部分を除いた残りのベッド床部材で、ベッド短辺を２等分する中央線で折り返し反転することができるようにした状態
【手続補正５】
【補正対象書類名】図面
【補正対象項目名】全図
【補正方法】変更
【補正の内容】
【図１】
0003163950.tif 000013
【図２】
0003163950.tif 000014
【図３】
0003163950.tif 000015
【図４】
0003163950.tif 000016
【図５】
0003163950.tif 000017
【図６】
0003163950.tif 000018
【図７】
0003163950.tif 000019
【図８】
0003163950.tif 000020